(57)【要約】【課題】太陽熱を蓄熱する蓄熱装置として小型の蓄熱装置を用いることができ、しかも、曇りや雪、雨の日が続く場合であってもコスト的に有利に暖房を行うことができる、ソーラー暖房システムを提供する。【解決手段】太陽熱集熱器１と、該集熱器１で集熱された太陽熱を蓄熱する蓄熱装置２と、該蓄熱装置２に蓄熱された熱で暖房を行う暖房用放熱器３と、深夜電力利用の電気温水器とが備えられ、該電気温水器の貯湯タンク１２内の熱を前記蓄熱装置２に蓄熱することができるようになされている。【選択図】      図１
2006284071.tif 000002
【特許請求の範囲】
【請求項１】
太陽熱集熱器と、該集熱器で集熱された太陽熱を蓄熱する蓄熱装置と、該蓄熱装置に蓄熱された熱で暖房を行う暖房用放熱器と、深夜電力利用の電気温水器とが備えられ、該電気温水器の貯湯タンク内の熱を前記蓄熱装置に蓄熱することができるようになされていることを特徴とするソーラー暖房システム。
【請求項２】
太陽熱集熱器と、該集熱器で集熱された太陽熱を蓄熱する蓄熱装置と、該蓄熱装置に蓄熱された熱で暖房を行う暖房用放熱器と、深夜電力利用の電気温水器とが備えられ、前記蓄熱装置への蓄熱を深夜電力を利用して行うことができるようになされていることを特徴とするソーラー暖房システム。
【発明の詳細な説明】
【技術分野】
【０００１】
本発明は、ソーラー暖房システムに関する。
【背景技術】
【０００２】
太陽熱集熱器で集熱した熱を屋内の暖房に用いるソーラー暖房システムは、従来より提供されているが、晴れる日もあれば、曇りや雪、雨の日もあり、また、天候にかかわらず夜間は太陽熱を集熱することができず、そのため、暖房が安定良く行われないという問題がある。
【０００３】
そこで、太陽熱集熱器で集熱した熱を蓄熱装置に蓄熱し、夜間や曇り、雪、雨の日には、蓄熱装置に蓄熱された太陽熱で暖房を行うようにすることが考えられる。
【発明の開示】
【発明が解決しようとする課題】
【０００４】
しかしながら、曇りや雪、雨の日が続く場合には、蓄熱装置に蓄熱された太陽熱だけでは暖房を継続することができず、それを実現するには蓄熱容量の大きい大型の蓄熱装置が必要になり、蓄熱装置を設置するスペースの確保が難しくなるという問題がある。
【０００５】
そこで、他の暖房機を用意して、曇りや雪、雨の日が続く場合には、その暖房機で暖房を行うことが考えられるが、それでは、電気代や燃料費が高くついてしまうという問題がある。
【０００６】
本発明は、上記のような問題点に鑑み、太陽熱を蓄熱する蓄熱装置として小型の蓄熱装置を用いることができ、しかも、曇りや雪、雨の日が続く場合であってもコスト的に有利に暖房を行うことができる、ソーラー暖房システムを提供することを課題とする。
【課題を解決するための手段】
【０００７】
上記の課題は、太陽熱集熱器と、該集熱器で集熱された太陽熱を蓄熱する蓄熱装置と、該蓄熱装置に蓄熱された熱で暖房を行う暖房用放熱器と、深夜電力利用の電気温水器とが備えられ、該電気温水器の貯湯タンク内の熱を前記蓄熱装置に蓄熱することができるようになされていることを特徴とするソーラー暖房システムによって解決される。
【０００８】
このシステムでは、夜間や曇り、雪、雨の日には、蓄熱装置に蓄熱された太陽熱で暖房が行われると共に、曇りや雪、雨の日が続く場合には、蓄熱装置に蓄熱された電気温水器の貯湯タンク内の熱で暖房が行われる。従って、蓄熱容量の大きな蓄熱装置は必要なく、小型の蓄熱装置で対応することができて、蓄熱装置の設置スペースの確保が容易である。また、電気温水器の貯湯タンク内の熱は、深夜電力で得られた熱であり、暖房に要するコストを低く抑えることができる。こうして、太陽熱を蓄熱する蓄熱装置として小型の蓄熱装置を用いることができ、しかも、曇りや雪、雨の日が続く場合であってもコスト的に有利に暖房を行うことができる。加えて、太陽熱用の蓄熱装置が電気温水器用の蓄熱装置を兼ねる構成であるので、システム全体の構成も簡素なものにすることができる。
【０００９】
また、上記の課題は、太陽熱集熱器と、該集熱器で集熱された太陽熱を蓄熱する蓄熱装置と、該蓄熱装置に蓄熱された熱で暖房を行う暖房用放熱器と、深夜電力利用の電気温水器とが備えられ、前記蓄熱装置への蓄熱を深夜電力を利用して行うことができるようになされていることを特徴とするソーラー暖房システムによっても解決される。
【００１０】
即ち、蓄熱装置に蓄熱する熱は、深夜電力利用の電気温水器の貯湯タンク内の熱に限らず、深夜電力の時間帯において蓄熱装置に蓄熱する電気ヒーターなどが備えられていてもよい。
【発明の効果】
【００１１】
本発明は、以上のとおりのものであるから、太陽熱を蓄熱する蓄熱装置として小型の蓄熱装置を用いることができ、しかも、曇りや雪、雨の日が続く場合であってもコスト的に有利に暖房を行うことができる。
【発明を実施するための最良の形態】
【００１２】
次に、本発明の実施最良形態を図面に基づいて説明する。
【００１３】
図１に示す実施形態のソーラー暖房システムにおいて、１は太陽熱集熱器、２は蓄熱装置、３は暖房用放熱器である。
【００１４】
暖房用放熱器３は、温水式の放熱器からなっており、建物の床下４のコンクリート土間５内に埋め込まれており、蓄熱装置２は、断熱材を巻いた温水タンクを備えていて、蓄熱装置２のタンク内の温水は、太陽熱集熱器１において、太陽熱によって暖められた温水が循環配管６を循環することにより形成されるようになされており、そして、蓄熱装置２内の温水が循環配管７を循環し、放熱器３内を通過することにより、床下４、床１１を通じて室内９が暖房されるようになされている。
【００１５】
なお、基礎１０は、立ち上がり部１０ａが断熱材１０ｂ，１０ｂでカバーされた断熱基礎からなっており、床１１には断熱材が設けられておらず、放熱器３から放熱される熱が、床下４、床１１を通じて、室内９に伝えられるようになされている。
【００１６】
そして、深夜電力利用の電気温水器の貯湯タンク１２が備えられ、電気温水器の貯湯タンク１２内のお湯の熱が、循環配管８を循環する液を介して、蓄熱装置２内の温水に伝えられ、蓄熱装置２に蓄熱されるようになされている。なお、１３，１４，１５はポンプである。
【００１７】
上記のソーラー暖房システムでは、図２（イ）に示すように、晴れた日中は、太陽熱集熱器１で太陽熱が集熱され、その熱が蓄熱装置２に蓄熱され、日中や夜間は、その熱で室内９が暖房される。そして、曇りや雪、雨の日が続く場合には、図２（ロ）に示すように、蓄熱装置２には、電気温水器の貯湯タンク１２内の熱が蓄熱され、その熱で暖房が行われる。
【００１８】
従って、曇りや雪、雨の日が続く場合のために、蓄熱装置２として、蓄熱容量の大きな蓄熱装置を使用する必要はなく、小型の蓄熱装置で対応することができ、蓄熱装置２の設置スペースの確保が容易である。しかも、電気温水器の貯湯タンク１２内の熱は、深夜電力で得られた熱であり、暖房に要するコストを低く抑えることができる。加えて、太陽熱用の蓄熱装置２が、電気温水器からの熱を蓄熱する蓄熱装置を兼ねる構成であるので、システム全体の構成も簡素である。また、本実施形態では、放熱器３が床下の土間コンクリート５中に埋込み状態に備えられているので、地中への蓄熱も行われる。
【００１９】
以上に、本発明の実施形態を示したが、本発明はこれに限られるものではなく、発明思想を逸脱しない範囲で各種の変更が可能である。例えば、上記の実施形態では、蓄熱装置２として、温水タンク式のものを用いた場合を示しているが、その場合に、温水タンクを潜熱蓄熱材を介して断熱材で覆った構成にすることにより、蓄熱装置をより一層コンパクトにすることができる。
【００２０】
また、蓄熱装置２は、温水タンク式に限らず、潜熱蓄熱材等の蓄熱材で構成し、蓄熱材の内部に太陽熱集熱器１や電気温水器の貯湯タンク１２、放熱器３からの配管が通されたものであってもよい。また、電気温水器は、ＣＯ２等のヒートポンプ式のものや、ヒータ式のものなどであってよい。
【００２１】
また、上記の実施形態では、暖房用の放熱器３を床下の土間コンクリート５中に埋込み状態に備えさせた場合を示したが、暖房用の放熱器は、床に備えられていてもよいし、温水式のパネルヒーター等に備えられていてもよい。
【００２２】
また、上記の実施形態では、蓄熱装置２に蓄熱する熱として、深夜電力利用の電気温水器の貯湯タンク１２内の熱を用いた場合を示したが、電気温水器が設置されて割安の深夜電力を使用できる環境下において、電気温水器の貯湯タンク１２内の熱を用いることなく、深夜電力の時間帯に電気ヒーターで蓄熱装置２に蓄熱する構成が採用されてもよい。
【００２３】
更に、上記の実施形態では、システムを温水式に構成した場合を示したが、空気式や冷媒式であってもよいし、各種熱媒を使用したシステムに構成することも可能である。
【図面の簡単な説明】
【００２４】
【図１】実施形態のソーラー暖房システムを示す回路図である。
【図２】図（イ）及び図（ロ）はそれぞれその作動状態を示す回路図である。
【符号の説明】
【００２５】
１…太陽熱集熱器
２…蓄熱装置
３…暖房用放熱器
１２…深夜電力利用電気温水器の貯湯タンク
【図１】
2006284071.tif 000003
【図２】
2006284071.tif 000004